(57)【要約】本発明は、２次電池及びこの２次電池の充放電を制御する充放電制御装置とを有する電源装置を備え、この電源装置は建物の電力系統に直列又は並列に接続され、この電源装置又はその一部分をエレベータ乗場の入口枠の内部に設置したことを特徴とする。エレベータ乗場の入口枠内部に電源システム又はその一部分を設置することにより建物の有効利用が図られる。また、エレベータ乗場の入口枠に設置したことによりメンテナンス作業が容易になる。また、エレベータ乗場の内部に設置する電源装置の引込み線は、電源ライン（及び電力センサの信号線）だけであり、設置作業の容易化が図られるのである。
2003072478.tif 000002
【特許請求の範囲】
【請求項１】
２次電池及びこの２次電池の充放電を行う充放電装置を有する電源装置を備え、この電源装置は建物の電力系統に直列又は並列に接続され、この電源装置又はその一部分をエレベータ乗場の入口枠の内部に設置したことを特徴とする電源システム。
【請求項２】
２次電池及びこの２次電池の充放電を行う充放電装置を有する電源装置を備え、この電源装置は建物の電力系統に直列又は並列に接続され、この電源装置の前記２次電池をエレベータ乗場の入口枠の内部に設置したことを特徴とする電源システム。
【請求項３】
建物の電力系統に直列又は並列に接続され、２次電池及びこの２次電池の充放電を行う充放電装置を有する電源装置と、前記電力系統の電力を検出する電力検出器とを備え、前期電源装置及び前記電力検出器をエレベータ乗場の入口枠の内部に設置したことを特徴とする電源システム。
【請求項４】
停電や瞬停の防止，省エネルギー化，受電電力のピークカット，高調波抑制又は力率改善を目的とする機器或いは部品からなる電源装置を有する電源システムにおいて、
前記電源装置は、建物の電力系統に直列或いは並列に接続されており、かつ、前記電源装置又はその一部分を、エレベータ乗場の入口枠の内部に設置したことを特徴とする電源システム。
【請求項５】
請求項１，２，３又は４において、
前記エレベータ乗場の入口枠の乗場側に前記電源装置のメンテナンス用扉又は蓋を取り付けたことを特徴とする電源システム。
【請求項６】
請求項１において、
前記２次電池は、鉛電池，ニッケル水素電池，リチウムイオン電池，燃料電池、又は蓄電用コンデンサであることを特徴とする電源システム。
【請求項７】
請求項４において、
エレベータ乗場の入口枠に設置される前記電源装置の一部分は、２次電池，前記２次電池の充放電を制御する充放電制御装置、又は系統の電力状態を検出する電力検出器、又は電力を遮断する遮断装置であり、かつ、前記２次電池は鉛電池，ニッケル水素電池，リチウムイオン電池，燃料電池、又は蓄電用コンデンサであることを特徴とする電源システム。
【請求項８】
請求項１又は４において、
前記電源装置は、無停電電源（ＵＰＳ），建物内の負荷で発生する回生電力を吸収し、再度活用する省エネルギーシステムの構成部品，アクティブフイルタ又はパッシブフイルタの構成部品であることを特徴とする電源システム。
【請求項９】
請求項２において、
前記扉又は蓋の開閉を検出するセンサを有し、前記扉又は蓋が開状態を検出したとき、電力系統とエレベータ乗場の入口枠の内部に設けた電源装置部分との間を電気的に遮断することを特徴とする電源システム。
【請求項１０】
請求項２に記載した電源システムにおいて、
前記扉又は蓋の開閉を検出するセンサと、前記扉又は蓋が開状態を検出したとき、その情報を建物の管理人室の監視モニタ又は保守会社の遠隔監視用モニタに放置する手段を備えたことを特徴とする電源システム。
【請求項１１】
請求項１又は４において、
前記電源装置を建物の受電点付近に配置することを特徴とする電源システム。
【請求項１２】
請求項２又は４において、
前記電源装置の情報を収集する手段と、エレベータ乗場の入口枠に設けられ、前記収集された情報に基づいて前記電源装置の情報を表示するモニタを設けたことを特徴とする電源システム。
【請求項１３】
請求項１又は４において、
複数の階のエレベータ乗場の入口枠の内部に電源装置又はその一部分を分割配置することを特徴とする電源システム。
【請求項１４】
請求項１又は４において、
エレベータドアの両脇のエレベータ乗場の入口枠内部に電源装置又はその一部分を設置したことを特徴とする電源システム。
【請求項１５】
請求項１又は４において、
主電力系統の負荷分岐点以降の分岐した系統にそれぞれ前記電源装置を設置したことを特徴とする電源システム。
【請求項１６】
請求項１又は４において、
エレベータ乗場の入口枠の内部に設けた電源装置は台車に搭載されており、エレベータ乗場の入口枠内への据付時には、前記台車ごと前記エレベータ乗場の入口枠の内部に収納する構造であることを特徴とする電源システム。
【請求項１７】
請求項２において、
前記２次電池は複数の単電池からなり、前記複数の単電池を少なくとも２つ以上に分割したユニット構成であることを特徴とする電源システム。
【請求項１８】
請求項１７において、
ユニット内の２次電池の端部から電気的に導通する凸型形状の端子をユニット外部に有し、エレベータ乗場の入口枠内には前記凸型形状の端子を挟むような形状の端子を有していることを特徴とする電源システム。
【請求項１９】
２次電池及びこの２次電池の充放電を行う充放電装置を有する電源装置を備え、この電源装置はエレベータの電力系統に直列又は並列に接続され、この電源装置又はその一部分をエレベータ乗場の入口枠の内部に設置したことを特徴とする電源システム。
【請求項２０】
２次電池及びこの２次電池の充放電を行う充放電装置を有する電源装置を備え、この電源装置はエレベータの電力系統に直列又は並列に接続され、この電源装置の前記２次電池はエレベータ乗場の入口枠の内部に設置され、エレベータの主回路，エレベータのボタン装置、又はエレベータの表示装置に接続したことを特徴とする電源システム。
【発明の詳細な説明】
技術分野
本発明は、工場やビル等において停電（瞬停）の防止、省エネルギー化、受電電力のピークカット（電力平準化）、高調波抑制又は力率改善を目的とした電源システムに関するものである。
背景技術
第１の従来技術として、特開２００１−２５８１５８号公報がある。この公報には、ビル等において、単一の電力系統に分割された複数の電力貯蔵ユニットを並列接続し、共通の電力制御コントローラで同期運転させることにより、電力系統のピークカット・ピークシフトの電力補償動作を実行させる電力貯蔵システムが記載されている。
また、第２の従来技術として、特開２００１−２４０３２４号公報がある。この公報には、単電池を複数個直列接続した２次電池を、昇降路の四隅，レール近傍、または、昇降路内のケーブル近傍のいずれかに設置する例が記載されている。また、この従来技術は、負荷であるエレベータのモータからの回生電力を、インバータ部の直流側に充放電制御部と共に設けた２次電池に回収できるため、省エネルギー化を図ることが可能になっている。
また、第３の従来技術として、特開平８−４０６６５号公報がある。この従来技術は電源システムではないが、エレベータのドア部分の脇に制御装置，駆動装置等を含むエレベータの機械盤を設けることにより、機械室を不要とし省スペース化を図ることが記載されている。
また、その他の従来技術として、ＯＡ機器などでは、瞬停の防止用にＵＰＳ（無停電電源）が広く使用されている。さらに、電源高調波の抑制や力率改善には、アクテイブフイルタ・パッシブフイルタ等の機器が広く使用されている。
発明の開示
しかしながら、上記第１の従来技術には、電力貯蔵ユニットを複数のユニットに分割して、これら複数に分割されたユニットをビルの各階のフロア等に分散配置することの記載はあるが、建屋スペースの有効利用の為の具体的な設置場所については考慮されていない。
第２の従来技術は、昇降路内に電池を配置している為、２次電池の交換・据付の作業が極めて困難になる。２次電池は、充放電を繰り返すと劣化が生じる場合があるため、短い場合では数年サイクルで交換作業を要する。この従来技術の場合には、２次電池の交換の度に昇降路の内部に入り、電池交換を行う必要がある上、重量が数ｋｇ〜数十ｋｇある電池を昇降路壁面に固定する必要があるため作業が難しい。また、利用者が多いエレベータでは、エレベータの停止時間をできるだけ短時間にする需要が大きいのに対し、この従来技術では作業時間の長期化は避けられない。
第３の従来技術は、階ドアと同じ開口にエレベータの機械盤を配置しているが、電源ラインのみならず、制御信号線，センサ線，表示器等への情報線等々の全ての引込み線を機械盤から昇降路内のかごやモータなどへ接続する必要があり、開ドアと同じ開口に設置する工事が容易ではない。
また、機械盤は大きく、開ドアと同じ開口に設置することは困難であり、その機械盤を設置する為に、開口の意匠性を損ないかねない。また、機械盤内の制御装置と駆動装置（例えば主回路）を切り離して設置すると、制御装置と駆動装置間を繋ぐ線が長くなり、ノイズの影響を受けやすくなる。その為、制御装置と駆動装置を近接して配置しなければならず、機械盤は設置の自由度が小さい。
ＵＰＳについては、パソコン等のＯＡ機器用の製品は小型であるが、ビルの電源用に使用するものは装置が大きくなり、設置スペースが必要になる。このため、建屋の有効利用の妨げになる。アクティブフイルタ・パッシブフイルタ等の機器についても、同様に設置スペースが必要になるため、建屋の有効利用の妨げになる。
本発明の目的は、工場やビル等において、瞬停の防止・省エネルギー化・受電電力のピークカット（電力平準化）・高調波抑制・力率改善を、電源室を設けることなく実現することにより、建屋の有効利用を実現する電源システム、更に安全かつ容易にメンテナンス等の作業が容易で、設置の作業が容易な電源システムを提供することである。
そこで本発明の一面は、２次電池及びこの２次電池の充放電を制御する充放電制御装置とを有する電源装置を備え、この電源装置は建物の電力系統に直列又は並列に接続され、この電源装置又はその一部分をエレベータ乗場の入口枠（以下、三方枠という）の内部に設置したことを特徴とする電源システム。
エレベータ乗場の三方枠内部に電源システム又はその一部分を設置することにより建物の有効利用が図られる。また、エレベータの三方枠に設置したことによりメンテナンス作業が容易になる。また、エレベータの三方枠の内部に設置する電源装置の引込み線は、電源ライン（及び電力センサの信号線）だけであり、設置作業の容易化が図られ、設置後の意匠性も良い。また、機械盤に比べ電源装置は小さく、容易に三方枠へ設置でき、設置によって三方枠の意匠性を損なうことはない。また、電源装置の２次電池と充放電装置を切り離して設置しても、ノイズの影響は少なく、２次電池と充放電装置を切り離して設置できる為、電源装置の設置の自由度は大きい。
発明を実施するための最良の形態
以下、本発明による電源システムの実施例を図面により説明する。
第１図は、本発明による第一実施例の電源システムの構成を示す。電源１，建屋の負荷２，ドア３，三方枠４，電源装置５，三方枠扉６，電力検出器７，電力遮断装置８，管理人室用監視モニタ９１，遠隔監視用モニタ９２により構成している。また、電源装置５は、充放電装置５１，２次電池５２からなる。
電源１は商用電源であり、建物の負荷２に対して電力を供給している。一般に、商用電源の電力料金は、電力使用量の他に、契約電力によって決定する。契約電力は、使用電力の最大値を規定するものであり、それを超えると通常はブレーカ等により電力を遮断される。つまり、電力の遮断を起こさないようにするためには、稀に発生する過渡的な電力に合わせて契約電力を決定する必要がある。このように、過渡的な電力に合わせて契約電力を決定するため電気料金の増加は避けられない。このため、使用電力が少ない時間に２次電池に電力を蓄電しておき、電力の過渡的なピーク時に、蓄電した電力を放電することにより、ブレーカによる電力遮断を避ける受電電力のピークカット（電力平準化）の技術が導入されつつある。ところが、２次電池や充放電を行う装置の設置には少なからずスペースを要するため、建屋の有効利用の妨げになる。現状では、大規模なビルであれば、電源室を設けその部屋に設置しているが、中小のビルでは有効スペースが縮小されるため、上記技術の導入の足かせとなっている。また、既存の建物に新たに導入する場合においても、有効スペースの縮小が大きな課題になっている。
三方枠４は、エレベータのドア３周りの壁面に取付けた枠である。
本実施例では、三方枠４の内部に、２次電池５２を設置し、建屋スペースの有効利用を図っている。
この構成において、電力検出器７により系統電力を監視し、低電力時には充放電装置５１を２次電池５２の充電装置として動作させる。また、負荷２が契約電力以上の電力を要求している場合には、充放電装置５１を２次電池５２の放電装置として動作させる。この時、２次電池の設置場所を三方枠４の内部とすることにより、ピークカットと建屋スペースの有効利用の両方の需要を満たしている。また、エレベータの制御装置等を三方枠に設置すると格納した装置の後ろ側をエレベータドアが運転のたびに開閉するため、接触しないように制御装置とその制御装置の引込み線を配置しなければならない。従って、エレベータの制御装置や引込み線のレイアウトの自由度に難がある。これは、エレベータ制御装置は、電源ラインのみならず、制御信号線，センサ線，表示器などへの情報線など全てを昇降路内のかごやモータなどに接続する必要があるからである。しかし、本実施例において三方枠に設置するのは電源装置であり、この電源装置の引込み線は、電源ライン（及び電力検出器の信号線）のみである。従って、電源装置は、三方枠への設置の自由度があるのである。
２次電池５２は、鉛電池，ニッケル水素電池，リチウムイオン電池，燃料電池，蓄電用コンデンサを想定している。これらの電池は、経年劣化による交換作業や補充作業を必要とする。このため、三方枠４に三方枠扉６を設けることにより、電池交換をフロア上で容易に行える構成としている。さらに、三方枠扉６の開閉をセンサ等により検出し、三方枠扉６が開いている場合には、充放電装置の動作を停止させて電力系統と２次電池５２を遮断し、かつ、管理人室用監視モニタや保守会社の遠隔監視用モニタに開いていることを表示する。これにより、安全性を向上できる効果がある。
第一実施例では、電源装置５の一部である２次電池５２のみを三方枠４の内部に設置しているが、電源装置５全体、あるいは、電力検出器７等も含めて設置されていても構わない。また、第一実施例では、電源装置５をピークカット用の装置として表記しているが、例えば、無停電電源（ＵＰＳ）であっても構わない。この場合には、停電が発生した場合に電力遮断装置８を遮断し、２次電池５２に蓄えられた電力を充放電装置５１により系統に放電する。電力遮断装置８を遮断する理由は、２次電池５２の電力が電源１側に逆流するのを防ぐためである。さらに、電源装置５は負荷２で発生する回生電力を吸収し、再度活用する省エネルギーシステムであっても構わない。この場合には、負荷２の回生時には、充放電装置５１は充電器として２次電池５２を充電する。さらにまた、電源装置５はアクテイブフイルタやパッシブフイルタであり、高調波抑制・力率改善を行うシステムであっても構わない。この場合には、三方枠４の内部には、交換作業が必要であるコンデンサ等が少なくとも含まれることになる。
第一実施例の構成では、電源装置５を建物の受電点に近い所（負荷２の分岐点よりも電源側）に配置している。この構成により、全負荷を対象に電源装置は効果を持つことになる。また、第一実施例の構成において、図示していないが三方枠４の内部にモニタを設け、２次電池５２の充放電情報や劣化情報等を表示しても良い。これにより、作業性を向上させることができる効果がある。
第２図は、第１図の第一実施例の概略図を示す構成図である。電力系統と電源装置５の接続点については、詳細に図示していないが、連結用変圧器等を用いて接続している。本実施例では、連結用変圧器も電源装置５の一部分として見なす。第２図より、電源装置５は電力系統に対して並列に接続されていることが判る。このように並列接続することによって、電源装置５のメンテナンス時や第１図に記載した三方枠扉６が開いた場合に遮断用スイッチ５３を開放することにより、電力系統と切り離すことができる。つまり、メンテナンス時等の安全性を向上できる上、負荷に対しても停電等の悪影響を抑制できる。
第３図は、第一実施例の別の例１を示す構成図である。この例は、電源装置５を電力系統に対して直列に接続した例である。この接続において、メンテナンスを行う場合は、作業者が電力系統の電圧によって感電しないように、電源装置５自身で電力を遮断させる必要がある。この場合には、負荷２は停電状態となる。しかし、直列接続することにより、例えば、２次電池の電力を放電する場合に電力系統と位相を合わせる等の行程がなくなるため、装置を簡略化できる長所がある。
第４図は、第一実施例の別の例２を示す構成図であり、複数の階に２次電池５２を設置した例である。また、１つの階に着目した場合、ドア３の両脇の三方枠４の内部に２次電池５２を設置した構成としている。この構成により、スペースを有効活用することができる。第４図のようにドア３の両脇の三方枠に２次電池２を設置する場合は、図中の上部の階に示すように、いずれかの階で左右の電池を接続した構成にしても良い。この場合、三方枠４の上辺部内に接続線を設けることにより、接続作業が容易になる。また、左右の電池の極性を反転させることにより、接続用の線を短くできる効果もある。なお、第４図での三方枠４の内部に設置するものは２次電池５２以外であっても、第一実施例記載の電源装置５のうち少なくとも１部分、或いは、電力検出器７、或いは、電力遮断スイッチ８等であっても良いことは言うまでもない。
第５図は、第一実施例の別の例３を示す構成図である。この構成では、主電力系統の負荷分岐点以降の分岐した系統にそれぞれ電源装置５を設置した例である。第５図では、各階毎に分岐点があるものと仮定して表記している。この構成により、分岐した系統に接続された負荷の大きさにばらつきがある場合に、２次電池５２の容量を調整できるため、２次電池５２を効率よく配分できる特徴がある。第５図では、分岐した系統全てに電源装置５を設置しているが、代表的な系統（停電させたくない系統）のみに設置してもよい。また、第５図では、分岐した系統に対して電源装置５を直列接続で接続しているが、並列接続であっても良いことは言うまでもない。
第６図は、電源装置部分の一部を三方枠内に搭載する場合の例を示す図である。第６図では、電源装置の一部として２次電池を例に記載している。２次電池５２の重量は数ｋｇから数十ｋｇになるため、電池を直接運搬・据付を行うことは困難である。そこで、２次電池５２を電池搭載用台車１０に搭載し、かつ、電池搭載用台車１０は三方枠４の内部に収納できる構成にする。これにより、運搬・据付を容易に行うことが可能になる。また、第６図では、三方枠４の奥行き部分ｄに電池搭載用台車７を収納しているが、三方枠４の幅部分ｗが広い場合には、こちらに挿入しても良い。つまり、電池搭載用台車１０の横幅を、三方枠４の奥行きｄあるいは幅ｗの一方よりも狭くなるように構成することにより、上記を実現できる。また、電池搭載用台車１０の把手部分を、収納時に折りたたむことが可能な構成にすることにより、コンパクト化を図ることができ、省スペース化に寄与できる。
第７図は、電源装置ユニット５Ａを搭載する部分の構成例を示す別の図である。第７図では、電源装置５の少なくとも１部分を電源装置ユニット５Ａに分割搭載している。第７図では、電源装置の一部として２次電池を例に記載している。第８図は、電源装置ユニット５Ａの構成図である。電源装置ユニット５Ａの内部では、単電池を直列接続しており、その両端に電源装置ユニット側電極端子１１を取り付けている。この構成により、２次電池２の不良時に、電池全体を交換するのではなく、部分的な交換（１ユニットのみの交換）が可能になるため、省資源化に対して極めて効果が大きい。さらに、電源装置ユニット５Ａを一体で運搬する場合と比較して軽量化できるため、装置の運搬はより容易になる効果がある。また、例えば、鉛電池では天地の方向が決まっており、傾けたり、横倒しにすることは不具合の要因になる。このため、電源装置ユニット５Ａのように電池を分割した構成にすることにより、輸送運搬時などでも運搬車の高さスペースの制約で電池を傾けることはなくなる。第９図は、電源装置ユニット５Ａと枠側電極端子１２との接続部分の構成を示す図であり、第１０図は第９図上面図である。三方枠４の内部には導電体からなる枠側電極端子１２を設置しており、枠側電極端子１２は、上下に隣合う別の電源装置ユニット用の枠側電極端子或いは図示していない充放電装置と接続されている。電源装置ユニット５Ａを三方枠４内に挿入した場合、電源装置ユニット側電極端子１１と枠側電極端子１２が結合し、２次電池５２の単電池全てが直列接続されたになる。また、第１０図のように、電源装置ユニット側電極端子１１を挟む構造の枠側電極端子１２を三方枠４の内部に設置することにより、据付時のネジ締め作業が不要となり、作業時間の短縮，労力の軽減に効果がある。第９図では、電源装置ユニット側電極端子１１が凸型の形状であり、枠側電極端子１２電源装置ユニット側電極端子１１を挟む構造になっているが、枠側電極端子１２が凸型の形状であり、電源装置ユニット側電極端１１が枠側電極端子１２を挟む構造であってもよい。
第１１図は、電源装置部分をユニット化した構成の別の例を示す図であり、第１２図〜第１４図を用いて効果を説明する。第１１図の構成では、電源装置ユニット５Ａの内部に金属導電板部分１３を設けている。第１２図は金属導電板部分１３の拡大図である。第１２図のように金属導電板５４は２枚あり、互いに接触はしていない。このため、第１１図の両方の電源装置ユニット側電極端子１１を誤って同時に触った場合でも、感電事故を起こす危険性はない。第１３図に三方枠内部の枠側電極端子１２と接続する例を、第１４図に第１１図のユニットの背面図をそれぞれ示す。第１３図は、第１１図のユニット枠側電極端子との接続部分の構成を上部から見た図である。電源装置ユニット５Ａと枠側電極端子１２が接続される場合には、導電体端子５６が導電体端子挿入口５５の内部に挿入され、金属導電板５４同士が短絡される。この結果、電源装置ユニット側電極端子１１間には電位が発生し、電池として作用する。このような構成にすることにより、安全性を向上できる効果がある。
第１５図は、電源装置ユニットと枠側電極端子との接続部分の別の例を示す図であり、第１６図は第１５図の上面図、第１７図は第１５図で表記している電源装置ユニット５Ｂの背面図である。三方枠４の内部には枠側電極端子１２Ｂを設置しており、枠側電極端子１２Ｂは、バネを利用した構成の凸型形状の接点である。また、第１３図の構成と同様に、枠側電極端子１２Ｂは、上下に隣合う別の電源装置ユニット用の枠内端子或いは図示していない充放電装置と接続している。電源装置ユニット５Ｂを三方枠４内に挿入した場合、電源装置ユニット側の凹型形状の端子１１Ｂと枠側電極端子１２Ｂが接触し、制御盤と２次電池が接続状態になる。この構成においても、据付時のネジ締め作業が不要となり、作業時間の短縮，労力の軽減に効果がある。さらに、第１６図，第１７図から明らかなように、凹型端子１１Ｂを使用することによって、電気接点を表面に出さなくて済むため、感電を防止できる効果がある。第９図，第１３図，第１５図の構造の要点は、三方枠４の内部でネジ締めが不要となるような電気的接点を設けることに有り、その要旨を変更しない範囲内で様々変形して実施できることは言うまでもない。
第１８図は、ドア部に対し三方枠が扇状にフロア側に広がっている例であり、第１９図は第１８図の上面図である。第１８図の三方枠の形状は一般的に広く用いられている。また、意匠的な観点から見て、第１８図のように、三方枠の形状はドアの中心から対称であることが望ましい。しかし、第１８図の形状の場合には、三方枠内のスペースは第１９図の斜線部分に限られる。そのため、例えば、三方枠内のスペースに挿入する電源装置の一部が２次電池であるとした場合、２次電池は単電池を直列接続して使用する構造であるため、単電池の並べ方を第１９図の斜線部分に合うように並べることにより、美観を損ねることはなくなる効果がある。この場合には、第８図，第１１図，第１６図で示した電源装置ユニットの形状も三方枠の形状に合わせる必要がある。また、第１９図のように、三方枠４の内部のスペースと昇降路を完全に隔離した構成にしても良い。この構成により、誤って昇降路内にネジ等を落とす心配がなくなり、安全性の向上に効果がある。
第２０図は、第一実施例の三方枠扉の代わりに電源装置を覆う三方枠蓋６１を用いた例である。扉の替わりに蓋を使用することによって、把手がなくなり、外観が良くなる効果がある。また、三方枠蓋６１に電源装置の一部を搭載し、それを三方枠に接続，設置する構成であっても良い。この構成においても、作業性の向上に効果がある。
第２１図は、本発明の電源システムをエレベータに適用した場合の構成図である。この構成において、例えば、停電になった場合には、２次電池５２を非常電源としてボタン１４，表示装置１５を表示し、インバータ１７，モータ１８を駆動させる。この場合、整流器１６は直流側から電源１側に電力が流入しない状態にしておく必要がある。（整流器１６がダイオード整流器の場合は、何もしなくても直流側から電源側に電力が流入することはない。）また、通常運転時においては、モータ１８の回生エネルギーを２次電池５２に回収することにより、省エネルギーに対しても極めて効果がある。一般的に、建物の壁面の施工は建設会社の範疇であるが、三方枠４はエレベータメーカが手を加えることができる。
【図面の簡単な説明】
第１図は、本発明の第一の実施例を示す構成図である。第２図は、本発明の第一実施例の概略図である。第３図は、本発明の第一実施例における別の例１を示す構成図である。第４図は、本発明の第一実施例における別の例２を示す構成図である。第５図は、本発明の第一実施例における別の例３を示す構成図である。第６図は、電源装置の一部を三方枠内に搭載する例を示す図である。第７図は、電源装置の一部を三方枠内に搭載する別の例を示す図である。第８図は、電源装置の一部分をユニット化した構成の図である。第９図は、第８図に示したユニットと枠側電極端子との接続部分の構成を示す図である。第１０図は、第９図の上面図である。第１１図は、電源装置の一部分をユニット化した別の構成例を示す図である。第１２図は、第１１図の金属導電板１３部分の拡大図である。第１３図は、第１１図のユニットと枠側電極端子との接続部分の構成を上部から見た図である。第１４図は、第１１図のユニットの背面図である。第１５図は、電源装置ユニットと枠側電極端子との接続部分の別の例２を示す図である。第１６図は、第１５の上面図である。第１７図は、第１５図のユニットの背面図である。第１８図は、ドア部に対し三方枠が扇状にフロア側に広がっている例である。第１９図は、第１８図の上面図である。第２０図は、電源装置を覆う三方枠蓋を用いた例である。第２１図は、本発明の電源システムをエレベータに適用した場合の構成図である。
【図１】
2003072478.tif 000003
【図２】
2003072478.tif 000004
【図３】
2003072478.tif 000005
【図４】
2003072478.tif 000006
【図５】
2003072478.tif 000007
【図６】
2003072478.tif 000008
【図７】
2003072478.tif 000009
【図８】
2003072478.tif 000010
【図９】
2003072478.tif 000011
【図１０】
2003072478.tif 000012
【図１１】
2003072478.tif 000013
【図１２】
2003072478.tif 000014
【図１３】
2003072478.tif 000015
【図１４】
2003072478.tif 000016
【図１５】
2003072478.tif 000017
【図１６】
2003072478.tif 000018
【図１７】
2003072478.tif 000019
【図１８】
2003072478.tif 000020
【図１９】
2003072478.tif 000021
【図２０】
2003072478.tif 000022
【図２１】
2003072478.tif 000023
【国際調査報告】
2003072478.tif 000024
2003072478.tif 000025
2003072478.tif 000026
2003072478.tif 000027